(57)【要約】【課題】水槽内において、熱帯魚等の魚類を飼育する場合、飼育過程においてアンモニアやアオコ等が発生する場合があり、この場合は水槽内の水を交換する必要がある。その際、魚類を掬い出して水を交換する必要のないオーバーフロー装置が用いられる。しかし、従来のオーバーフロー装置は、水を排出する際の音が大きいものがあった。また、水槽内の水位の細かな調整をすることができるオーバーフロー装置が少なかった。【解決手段】第一管と第二管で構成されるＵ字型の二重管構造で、第一管に給水管を、第二管に垂下管を連設し、また、垂下管に分離通路を内設し、給水管に水位微調整管を設けることを特徴とするオーバーフロー装置。【選択図】図２
2007236315.tif 000002
【特許請求の範囲】
【請求項１】
第一管とこれに内設した第二管とでなる水槽に架承するＵ字型二重管と、このＵ字型二重管の第一管に連設した給水管及び前記第二管に連設した垂下管とで構成したサイフォン式オーバーフロー装置であって、
この垂下管の両端部に蜂の巣状の分離通路を形成したことを特徴とするサイフォン式オーバーフロー装置。
【請求項２】
請求項１に記載のサイフォン式オーバーフロー装置の前記給水管が、回動自在としたことを特徴としたサイフォン式オーバーフロー装置。
【請求項３】
請求項１に記載のサイフォン式オーバーフロー装置の給水管の側端部から垂下管に亘り水位微調整管を内設することを特徴とするサイフォン式オーバーフロー装置。
【請求項４】
請求項１乃至請求項３に記載のサイフォン式オーバーフロー装置において、
前記給水管の底辺部と垂下管の上端部を同位とし、
前記第二管と第二管の下端部を同位であることを特徴とするサイフォン式オーバーフロー装置。
【発明の詳細な説明】
【技術分野】
【０００１】
本発明は、落差を利用して水槽の水を落下させるサイフォン式オーバーフロー装置に関する。
【背景技術】
【０００２】
主に観賞目的で熱帯魚等の魚類を飼育する場合、水槽内においては、魚類が食べ残した餌や糞尿等の排泄物によって、アンモニアやアオコ等が発生する場合がある。このように水槽内において発生したアンモニアやアオコ等をそのまま放置すると、魚類が病気にかかる虞があり、最悪の場合は死滅してしまう虞がある。また、水槽内の水が汚れてしまうことにより観賞が妨げられてしまう場合もある。
【０００３】
したがって、水槽内の水を交換する必要があるが、この際一先ず、魚類を他の水槽やバケツ等に入れておき、水槽内の水を交換する。しかし、交換の際、魚類を掬って他の水槽やバケツに移す必要があるため、魚類の体に触れることは避けられず、魚類を傷付けて、弱らせてしまう虞がある。
【０００４】
そこで、魚類を掬い出して水を交換する必要のないオーバーフロー装置なるものが重宝される。従来のオーバーフロー装置に関しては、以下のような文献（１）、（２）がある。文献（１）は、水槽内の汚水を水の落下システムを利用して水の落下を可能とするものである。また、文献（２）は、水槽内の水を汲み出すものとは趣が異なり、灯油等の液体を汲み上げるものである。以下、文献（１）、（２）について説明する。
【０００５】
文献（１）は、実登３０１８６１９の「改良型水落下システム付水槽及び濾過装置」である。この考案は、下部に設けられた濾過槽対し、水槽に格別の工作を伴わずに、水槽中の水を落下させることができる水槽及び濾過装置で、水を貯留できる外部装着貯留装置と、水排出孔を有する曲がりサイフォンと、濾過槽に水を排出できる溢水管を有する改良型水落下システム付水槽及び該システムを有する濾過装置である。この考案は、熱帯魚や金魚等を飼育する為の水槽内に発生するアンモニアを、通常の水槽においても、下部の濾過槽に対し容易に水の落下を可能とする落下システム付水槽または、当該落下システムを有する濾過装置を提供することを目的とするものであり、水槽に格別の工作を伴わずに、水槽中の水を落下させることができるものである。
【０００６】
また、従来のオーバーフロー装置一般にいえることであるが、水を排出する際の音が大きく、また、異音がする場合があるという問題点があった。
【０００７】
文献（２）は、実開平２−８５９００号の「簡易汲み上げ揚水ポンプ」である。この考案は、灯油等の液体を簡易に汲み上げる簡易汲み上げ揚水ポンプで、逆Ｕ字状のサイホン管を形成するホースの頂部に空気供給口を開閉自在に配設し、一方の吸入管の上部を所要長さの大径管に包蔵し、該大径管の上部を吸入管に気密的に密着し、下部をテーパ状に縮径して密着部を形成すると共に吸入管との間に所定の空間を形成し、大径管の上部より気密状に吹き込み管を挿通し、他方の吐出管の下端部に絞り部を配設して成る簡易汲み上げ揚水ポンプである。この考案は、従来の汲み上げ手動揚水ポンプのような、弾性体の復元力により負圧を発生させて吸い上げるものではなく、繰返し押圧する弾性体と逆止弁のない構造簡単で長命な簡易汲み上げ揚水ポンプの提供を目的とするものである。
【０００８】
【特許文献１】実登３０１８６１９
【特許文献２】実開平２−８５９００号
【発明の開示】
【発明が解決しようとする課題】
【０００９】
しかし、文献（１）の考案は、水が、曲がりサイフォンの水槽側の水注入孔側に設けたフィルターから入り、下部の濾過槽へ落下するものであり、フィルターが水槽の下方にあるため、水位調整することが困難である。また、水が通過する曲がりサイフォンの内部には管が内設されていないため、本発明とは本質的に相違する。また、文献（１）の考案は、曲がりサイフォンの水槽側の水注入孔側が回動せず固定されているため、水槽内の水位によって水の注入量の微調整が困難である。さらに、文献（１）の考案は、曲がりサイフォンの内部には、水位微調整管を設けていないため、水位の微調整が困難な場合がある。
【００１０】
また、文献（２）の考案は、受け入れ容器内の液体を吸入管より汲み上げて吐出管から吐き出すものであり、灯油等の液体を簡易に汲み上げる簡易汲み上げ揚水ポンプに関するものであり、本発明のような水槽の水を落下させるサイフォン式オーバーフロー装置とは範疇を異にする。また、吸入管、吐出管ともに内部に管が内設されていないため、本発明とは本質的に相違する。さらに、文献（２）の考案は、吸入管の上部を所要長さの大径管に包蔵し、大径管の上部を吸入管に気密的に密着させるものであり、吸入管が回動しないため、吸入管から入る水の吸入量の微調整が困難である。
【課題を解決するための手段】
【００１１】
以上の問題点を考慮して、第一発明のサイフォン式オーバーフロー装置は、第一管とこれに内設した第二管とでなる水槽に架承するＵ字型二重管と、このＵ字型二重管の第一管に連設した給水管及び前記第二管に連設した垂下管とで構成したサイフォン式オーバーフロー装置であって、この垂下管の両端部に蜂の巣状の分離通路を形成したことを特徴とする。
【００１２】
第二発明のサイフォン式オーバーフロー装置は、請求項１に記載のサイフォン式オーバーフロー装置の前記給水管が、回動自在としたことを特徴とする。
【００１３】
第三発明のサイフォン式オーバーフロー装置は、請求項１に記載のサイフォン式オーバーフロー装置の給水管の側端部から垂下管に亘り水位微調整管を内設することを特徴とする。
【００１４】
第四発明のサイフォン式オーバーフロー装置は、請求項１乃至請求項３に記載のサイフォン式オーバーフロー装置において、前記給水管の底辺部と垂下管の上端部を同位とし、前記第二管と第二管の下端部を同位であることを特徴とする。
【発明の効果】
【００１５】
第一発明によれば、Ｕ字型二重管は、第一管と該第一管に内設した第二管とで構成され、また、垂下管の両端部に蜂の巣状の分離通路を形成しているため、第二管から垂下管へ流れる水は、第一管内の空気を取り込みながら水泡状となって垂下管の下端部へと排気排水され、この第一管、第二管の配管の全管を利用して速い段階でサイフォンとなり、水を循環させることができる。
【００１６】
第二発明によれば、オーバーフロー装置の給水管は、回動自在であるため、水槽内の水位を容易に変更することができる。
【００１７】
第三発明によれば、オーバーフロー装置に水位微調整管を内設しているため、状況に応じ水位微調整管を水位調整孔の上方向に伸ばすことにより、その分水槽内の水位を上昇させることができる。また、水位微調整管を水位調整孔の下方向に位置すれば、水位調整孔の下面で水位は安定させることができる。
【００１８】
前者、すなわち、水位微調整管を水位調整孔の上方向とした場合は、水位調整孔より取り込み第一管に流入しようとする空気を水位微調整管より垂下管へとバイパスさせ、垂下管の水密度を低くし、水の落下速度を落とし水面が上昇する。したがって、この例を採用すれば、希望水位を維持することができる。また、水位調整孔近傍で発生する音（渦巻き音等）と、第一管に流入する際の音（水流音等）が抑えられ、さらに、水面上に浮遊する餌の排出が妨げられる。
【００１９】
後者、すなわち、水位微調整管を水位調整孔の下方向とした場合は、水位微調整管からも水を取り込み、垂下管内の水密度を高くして落下速度を速め、水面を下降させ、水槽内の水位を水位調整孔の近傍に安定させる。したがって、水面表層よりの油膜等の浮遊物を合理的に排出できる。
【００２０】
また、前者後者共に本発明は、前述の如く、垂下管内の水密度を敏速に調整し、排水能力を揚水ポンプの揚水能力に追従させ、強い水位安定性を有するものであり、結果、本発明を使用する場合は、種々の揚水ポンプを使用することが可能である。したがって、本発明を使用する場合、大半の場合、揚水ポンプを新たに購入する必要はなく、既存の揚水ポンプをそのまま使用することができるため、揚水ポンプに費やす費用を抑えることができ、コストの面で有用である。
【００２１】
また、垂下管内は水泡状態にあり、空気を水に溶かし込むエアレーション効果が得られるため、エアーポンプの設置が不要となる場合がある。したがって、この場合、設備全体のスリム化を図ることができ、また、エアーポンプに費やす費用を抑えることができ、コストの面で有用である。
【００２２】
第四発明によれば、前記給水管の底辺部と垂下管の上端部を同位とし、前記第二管と第二管の下端部を同位であるため、第二管内に張られたいわゆる呼び水は、水槽の水位がどのようになろうとも、その影響を受けることなく残存しうるものであり、継続して水位の調整が可能となる。
【発明を実施するための最良の形態】
【００２３】
つぎに、本発明の実施形態に係るサイフォン式オーバーフロー装置を図面に基づいて説明する。図１は、第一実施例であるサイフォン式オーバーフロー装置の正面図、図２は、第一実施例であるサイフォン式オーバーフロー装置の断面図、図３は、本発明の第１実施例の垂下管側からの斜視図、図４は、本発明の第二実施例であるサイフォン式オーバーフロー装置の断面図、図５−１は、第一実施例、第二実施例のサイフォン式オーバーフロー装置のアダプターの拡大断面図、図５−２は、垂下管の下端部側の断面図、図６から図９は、実際の使用の段階を示す本発明の断面図、図１０は、本発明の第三実施例の給水管の水位調整孔側を下方にした状態の斜視図、図１１は、本発明の第三実施例の給水管を回動させた状態の斜視図、図１２は、本発明の第三実施例の正面断面図、図１３は、本発明の第三実施例の側面断面図、図１４は、本発明の第三実施例の本管の上端部側の拡大断面図である。
【００２４】
図１に基づいて第一実施例であるサイフォン式オーバーフロー装置の構成物品を大別すると、Ｕ字型二重管３と、給水管５と、垂下管８と、アダプター７とから成る。また、本発明の第１実施例を垂下管側から図示した状態が図３である。
【００２５】
Ｕ字型二重管３の部位は、給水管５を設ける給水管側１ａと、垂下管８を設ける垂下管側１ｂと、給水管側１ａと垂下管側１ｂを繋ぐ水平部１ｃとに分類することができる。
【００２６】
Ｕ字型二重管３は、第一管１と、これに内設した第二管２（本図では図示せず）とで構成され、第一管１と第二管２が組み合わさって１つのＵ字型二重管３を構成する。
【００２７】
Ｕ字型二重管３を構成する第一管１の給水管側１ａの途上に挿着部１ｄを設け、挿着部１ｄを介して給水管５を設ける。すなわち、Ｕ字型二重管３を構成する第一管１に設けた挿着部１ｄに給水管５を設けることによってＵ字型二重管３を構成する第一管１と給水管５が一体化される。
【００２８】
また、第一管１の給水管側１ａの下端部１ａ１には、着脱自在のキャップ４を設け、キャップ４を取り外して内部に詰まったゴミ等を取り出すことができる。
【００２９】
給水管５の一部には、水位調整孔５ａを設けている。この水位調整孔５ａから入水し、Ｕ字型二重管３の内部に水が進入する。
【００３０】
給水管５の側端部５ｂには、水位微調整管６を挿通するための挿通孔５ｄを設け、挿通孔５ｄに水位微調整管６を挿通する。この水位微調整管６からも水が進入し、最終的には垂下管８から排水される。水位調整孔５ａと水位微調整管６によって水槽１１の水位１１ａを調整することができる。
【００３１】
また本図では図示していないが、給水管５の側端部５ｂに回動可能な蓋体を設け、該蓋体に水位微調整管６を挿通するための挿通孔５ｄを設け、挿通孔５ｄに水位微調整管６を挿通する構成とすることもできる。この構成であると、水位微調整管６は蓋体の挿通孔５ｄに挿入されており、水位微調整管６は蓋体と一体となっており、例えば、水位微調整管６が大気側１２に向いている場合、蓋体を回動させて水位微調整管６を水槽１１側に向けることができ、また、水位微調整管６が水槽１１側に向いている場合、蓋体を回動させて水位微調整管６を大気側１２に向けて、水位の微調整が可能となる。
【００３２】
さらに、水位微調整管６は、給水管５から第一管１、垂下管８にかけて内設されているため、水位微調整管６を引っ張り出すことにより挿通孔５ｄから出る水位微調整管６の長さを調整することができ、水位の微調整が可能となる。また、水位微調整管６の素材を柔軟性のあるビニールパイプ等とした場合、容易に水位微調整管６の位置を変えることができ、水位１１ａの微調整が可能となる。
【００３３】
第一管１の垂下管側１ｂとアダプター７の上端部７ａを連結し、アダプター７の下端部７ｃと垂下管８を連結する。このアダプター７は、異径である第一管１と垂下管８を連結するために用いられ、このアダプター７を使用することによって、Ｕ字型二重管３を構成する第一管１とアダプター７、そして、垂下管８が一体となる。したがって、アダプター７は、異径に対応する構成であって、絞部７ｂを有する。
【００３４】
なお本図では、垂下管８の下端部８ｂ側は、緩やかなテーパー形状を構成するテーパー部７ｅを形成しているが、本発明の効果を奏することができる場合は、ストレート形状であっても可能であることは勿論である。
【００３５】
図２に基づいてＵ字型二重管３の内部構造を説明すると以下のとおりである。
【００３６】
Ｕ字型二重管３を構成する第一管１に第二管２を内設する。この第一管１と第二管２は相似形状であるため、第二管２は、略Ｕ字形状を構成する。
【００３７】
すなわち、第二管２は、第一管１の給水管側１ａ内部の下端部１ａ１のキャップ４近傍から上方へ立ち上がり、水平部１ｃ内部を水平方向に通過し、垂下管側１ｂ内部へ至り、その後垂下する。そして、第二管２が第一管１の水平部１ｃの内側部分に載置されている。
また、この第一管１に内設された第二管２の給水管側２ａの下端部２ａ１と垂下管側２ｂの下端部２ｂ１は、同位である。すなわち、第二管２の給水管側２ａの下端部２ａ１と垂下管側２ｂの下端部２ｂ１は、同一ラインＢ上にある。
【００３８】
また、Ｕ字型二重管３を構成する第一管１の垂下管側１ｂの中途から下方にかけて垂下管８を内設している。すなわち、第一管１内部の垂下管側１ｂの中途から下方にかけて、第二管２と垂下管８が併設されている。そして、第二管２がアダプター７の上端部７ａ近傍までしか設けられていないのに対し、垂下管８はアダプター７内を通過して、下方に垂下している。
【００３９】
水位微調整管６は、給水管５の側端部５ｂに設けた挿通孔５ｄから挿通され、給水管５の内部を経由して、第一管１の給水管側１ａの内部に亘る。その後、給水管側１ａ内部から上方へ立ち上がり、水平部１ｃに進入して水平方向に進み、その後、第一管１内部の垂下管側１ｂへ垂下する。そして、垂下管８の内部に挿入され、アダプター７を通過して、さらに下方に至る。
【００４０】
垂下管８は、アダプター７の内部の絞部７ｂ近傍と下端部８ｂ側の二箇所にテーパー部７ｅを有している。アダプター７の内部の絞部７ｂ近傍のテーパー部７ｅは、アダプター７の絞部７ｂ付近で緩やかなテーパー形状からなる。また、垂下管８の下端部８ｂ側のテーパー部７ｅも緩やかなテーパー形状からなる。以上のように、垂下管８に二箇所のテーパー部７ｅを構成しているが、本発明の効果を奏するものであれば、テーパー部７ｅを設けない構成とすることも可能であり、また、テーパー部７ｅを一箇所とすることも可能である。また、垂下管８には、アダプター７の内部の絞部７ｂ近傍と下端部８ｂ側の二箇所にテーパー部７ｅを設けているが、この二箇所のテーパー部７ｅの下方に蜂の巣状の分離通路９を内設している。
【００４１】
そして、給水管５の底辺部５ｃと垂下管８の上端部８ａが同位であることが必要である。すなわち、給水管５の底辺部５ｃと垂下管８の上端部８ａは同一ラインＡ上にあることが必要である。
【００４２】
そして、図４に示すように第二実施例は、第一管１の挿通孔５ｄと給水管５は回動可能に装着されているため、給水管５を回動でき、水位１１ａの微調整が可能となる。具体的には、水位１１ａを下げたい場合は、水位調整孔５ａが設けられている側を水槽１１側へ回動させ、水位１１ａを上げたい場合は、大気側１２に回動させて調整する。その他の構成は、第一実施例に準ずる。
【００４３】
第一実施例、第二実施例のサイフォン式オーバーフロー装置のアダプター７の内部構造は、図５−１に示すとおりである。
【００４４】
第一管１の垂下管側１ｂの中途から垂下する垂下管８は、アダプター７を通過し、さらに下方へ至る。そして、垂下管８には、蜂の巣状の分離通路９を内設している。この分離通路９は、細管１０を寄せ集めて構成しており、細管１０の中に水位微調整管６が貫通する。
【００４５】
アダプター７の下端部７ｃと垂下管８は、密着して結合されているため、アダプター７の下端部７ｃと垂下管８の間からは漏水せず、アダプター７内の貯留部７ｄに水１１ｂが貯留される。そして、貯留部７ｄに水１１ｂが貯留され、貯留部７ｄの水位が上昇すると垂下管８の上端部８ａから水１１ｂが進入し、垂下管８を通って排水される。
【００４６】
垂下管８の下端部８ｂ側は図５−２に示すように、テーパー形状のテーパー部７ｅを構成し、テーパー部７ｅの下方に分離通路９を内設している。この分離通路９を水１１ｂが通過することにより、排水される水１１ｂが泡状となる。
【００４７】
図６から図９においては、本発明の使用段階を図示している。
【００４８】
実際に本発明を使用する場合には、本発明や水槽１１の他、主に、水槽１１の下方に設ける下方水槽（図示せず）、下方水槽に貯留された水を汲み上げて水槽内へ還元する揚水ポンプ（図示せず）を使用する。なお、図１０から図１２に図示した本発明は、第一実施例を基に説明しているが、第一実施例に限らず第二実施例でも同様である。
【００４９】
まず、図６の前段階として、水１１ｂが入っていない空の状態の第一管１、第二管２、給水管５、アダプター７の内部にいわゆる呼び水を入れる。本発明の内部に呼び水１１ｂを入れる方法としては、様々な方法があるが、例えば、水１１ｂが張られた水槽１１内に本発明を水没させて、本発明の内部に呼び水を進入させる方法や、垂下管８の下端部８ｂから水１１ｂを入れ、本発明を揺動させ、本発明の内部に呼び水を進入させる方法がある。
【００５０】
そして、本発明の内部に水１１ｂを進入させた後、第一管１の水平部１ｃを大気側１２にして本発明を立ち上げると、第一管１の内部の一部の水１１ｂは流れ落ち、第二管２の内部は、いわゆる呼び水で満たされる。そのうえで、第一実施例を水槽１１の縁に架承した状態が図６に図示したものである。
【００５１】
まず、第一段階として水槽１１内の水位１１ａは、第一管１の給水管５の底辺部５ｃの下方にある。一方、第一管１の給水管側１ａの水位１１ａは、給水管５の底辺部５ｃの水平線上にあり、第一管１内の垂下管側１ｂの水位１１ａは、第一管１の垂下管側１ｂに内設された垂下管８の上端部８ａの近傍にある。すなわち、第一管１の給水管側１ａ、垂下管側１ｂの水位１１ａは、ラインＡ上にある。
【００５２】
次の第二段階では図７に示すように、水槽１１内に下方水槽より揚水ポンプにより汲み上げた水１１ｂを汲み入れると、第一管１の給水管５に設けた水位調整孔５ａの上方まで水１１ｂで満たされることになる。そうすると、少量の水１１ｂが垂下管８の上端部８ａから流れ込み、少量の水１１ｂが水泡１１ｃ状となって垂下管８から排気排水される。
【００５３】
図８−１における第三段階では、前段階において、第一管１内の空気は水泡１１ｃ状となって排気し終わっており、第一管１、第二管２、給水管５、アダプター７の内部が水１１ｂで満たされており、いわば、本発明装置がサイフォンとしての条件が整い、機能し始める。よって、垂下管８の上端部８ａから大量の水１１ｂが入り、垂下管８の下端部８ｂ側から水１１ｂが大量排出されることとなる。
【００５４】
図８−２における第四段階では、図８−１において水槽１１内に水１１ｂが大量に排出されたため、水槽１１内の水位１１ａは水位微調整管６の下方に下がり、さらに、水槽１１内の水位１１ａが水位微調整管６の下方にあるため水位微調整管６の内部には空気が入り込んでおり、垂下管８の内部においても空気が入り込み、垂下管８から排水される水１１ｂは水泡１１ｃ状となる。
【００５５】
本発明の第五段階である図９は、水槽１１内に下方水槽から揚水ポンプを使用した水１１ｂの汲み入れを止めると、図８−１のような垂下管８からの大量排水が停止され、水槽１１内の水位１１ａが水位調整孔５ａの下方まで下がりオーバーフローは停止する。そして、再び水槽１１内に水１１ｂを汲み入れると、図７の第二段階へと戻る。
【００５６】
このように、本発明は主に、水槽１１内のオーバーフローした水１１ｂが垂下管８より排水され、排水された水１１ｂが下方水槽に貯留され、下方水槽に貯留された水１１ｂが揚水ポンプによって汲み上げられ水槽１１内に返還される仕組である。
【００５７】
図６から図９では、本発明と水槽１１の他、下方水槽と揚水ポンプを使用した例を説明したが、本発明はこの例に限定されるものではない。本例は、例示であり、本発明と実質的に同一な構成で、同一の効果を奏する場合は、本発明の技術的範囲に属する。例えば、下方水槽や揚水ポンプを使用せず、垂下管８から排水された水１１ｂを水槽１１内に返還せず、排水溝に流したり、植物に与えたりし、減少した水槽１１内には、別の新たな水１１ｂを補填するという構成としてもよい。
【００５８】
図１０に基づいて第三実施例の構成物品を大別すると、略Ｕ字形状でなるＵ字型二重管３と、略Ｔ字形状でなる給水管５と、略Ｌ字形状でなる垂下管８とで構成されている。
【００５９】
Ｕ字型二重管３は、第一管１と、第一管１に内設した第二管２（本図では図示せず）とで構成され、第一管１と第二管２が組み合わさって１つのＵ字型二重管３を構成する。また、Ｕ字型二重管３を構成する第一管１は、給水管側１ａと水平部１ｃと垂下管側１ｂの部位に分類することができる。
【００６０】
第三実施例の給水管５は、給水本管１５と連結管１６とで構成される。給水本管１５に連結孔１５ａを設け、連結孔１５ａに連結管１６の一端を挿入する。また、第一管１の給水管側１ａに結合孔１７を設け、結合孔１７に連結管１６の他端を挿入する。このように構成することによって、Ｕ字型二重管３を構成する第一管１と給水管５が一体となる。
【００６１】
給水管５の上端部５ｅに着脱自在のキャップ４を設けている。水１１ｂが流れている状態で、このキャップ４を取り外すと、内部に空気が進入するため、水１１ｂの流れが止まる。そして、再びキャップ４を挿着し、連結孔１５ａ底面近傍に水位が上昇すると再び水１１ｂが流れ出す。このように、水槽１１内の水位の干満を利用して間欠排水が可能である。
【００６２】
給水本管１５の下方に水位調整孔５ａを設けている。この水位調整孔５ａから水が進入する。水位調整孔５ａから進入した水１１ｂは、第二管２をとおって垂下管８に至り、垂下管８より排水される。
【００６３】
略Ｕ字管を構成する第一管１の給水管側１ａの下端部１ａ１と垂下管側１ｂの下端部１ｂ１には、着脱自在のキャップ４を設けているため、キャップ４を取り外して内部に溜まったゴミ等を取出すことができる。
【００６４】
略Ｌ字形状の垂下管８を大別すると、連結管１６ａとアダプター７とコック部１８と垂下本管８ｃから構成されている。
【００６５】
Ｕ字型二重管３を構成する第一管１の垂下管側１ｂに連結孔１５ｂを設け、この連結孔１５ｂに連結管１６ａの一端を挿入する。そして、連結管１６ａの他端とアダプター７の上端部７ａを連結させ、アダプター７の下部とコック部１８の上端部１８ａを結合する。そして、コック部１８の下端部７ｃと垂下本管８ｃを結合させる。このように構成することによって、第一管１と略Ｌ字形状の垂下本管８ｃが一体となる。連結管１６と垂下本管８ｃは、異径であるため、アダプター７によって連結管１６と垂下本管８ｃを連結する。
【００６６】
コック部１８のコック１８ｃを閉めると排水が停止するため、本装置の機能を任意の水位１１ａで停止し、揚水ポンプを止めて希望水位を維持することができる。
【００６７】
図１１のように給水管５を回動させることができるが、給水管５の傾斜度は、希望の水位１１ａによって様々な角度とすることが可能である。また、キャップ４を取外し、給水管５の傾斜角度を変更することにより給水管５の下方に設けた水位調整孔５ａから、水槽１１の表層域の水１１ｂのみならず、中層域や、低層域の水１１ｂを吸引することができるため、汚水され排水を希望する層に給水管５の傾斜角度を合わせることにより汚水を排出することができ便利である。その他の構成の説明は、図１０の説明に準じる。
【００６８】
図１２のように、垂下本管８ｃは、アダプター７、コック部１８に亘り内設されており、アダプター７より下方は、垂下本管８ｃのみで構成されている。
【００６９】
また、連結管１６の底辺部１６ｂと垂下管８の上端部８ｃ１は、同位である。すなわち、連結管１６の底辺部１６ｂと垂下管８の上端部８ｃ１は、同一ラインＣ上にある。
【００７０】
垂下本管８ｃの上端部８ｃ１側及び下端部８ｃ２側には、蜂の巣状の分離通路９を内設し、分離通路９は、細管１０を寄せ集めた構成としている。
【００７１】
図１３に示すように、Ｕ字型二重管３を構成する第一管１の内部には第二管２を内設しているため、第一管１の形状のように第二管２も略Ｕ字形状を構成している。すなわち、第二管２は、第一管１の給水管側１ａ内部から立ち上がり、第一管１の水平部１ｃ内部を水平方向に進行し、第一管１の垂下管側１ｂ内部へ至る。そして、第二管２が第一管１の水平部１ｃの内側部分に載置されている。また、第一実施例、第二実施例と同様に、第二管２の給水管側１ａの下端部１ａ１と垂下管側１ｂの下端部１ｂ１は、同位である。
【００７２】
第三実施例の使用方法を説明すると、まず、第一実施例の図６での説明と同様に、第二管２の内部をいわゆる呼び水で満たし、そのうえで、第三実施例を水槽１１の縁に架承する。
【００７３】
そして、水槽１１内の水位１１ａが上昇し、水１１ｂが第一管１の給水管側１ａへ進入するとオーバーフローの原理により、水１１ｂが第二管２から垂下管８をとおり、垂下本管８ｃから排水される。
【００７４】
図１４のように、第三実施例の垂下本管８ｃの上端部側にも分離通路９を内設しており、細管１０を寄せ集めて構成している。
【図面の簡単な説明】
【００７５】
【図１】本発明の第一実施例であるサイフォン式オーバーフロー装置の正面図である。
【図２】本発明の第一実施例であるサイフォン式オーバーフロー装置の断面図である。
【図３】本発明の第１実施例の垂下管側からの斜視図、
【図４】本発明の第二実施例であるサイフォン式オーバーフロー装置の断面図である。
【図５−１】本発明の第一実施例、第二実施例のサイフォン式オーバーフロー装置のアダプターの拡大断面図である。
【図５−２】垂下管の下端部側の断面図である。
【図６】本発明の使用状態の第一段階を表した断面図である。
【図７】本発明の使用状態の第二段階を表した断面図である。
【図８−１】本発明の使用状態の第三段階を表した断面図である。
【図８−２】本発明の使用状態の第四段階を表した断面図である。
【図９】本発明の使用状態の第五段階を表した断面図である。
【図１０】本発明の第三実施例の給水管の水位調整孔側を下方にした状態の斜視図である。
【図１１】本発明の第三実施例の給水管を回動させた状態の斜視図である。
【図１２】本発明の第三実施例の正面断面図である。
【図１３】本発明の第三実施例の側面断面図である。
【図１４】本発明の第三実施例の本管の上端部側の拡大断面図である。
【符号の説明】
【００７６】
１          第一管
１ａ        給水管側
１ａ１      下端部
１ｂ        垂下管側
１ｂ１      下端部
１ｃ        水平部
１ｄ        挿着部
２          第二管
２ａ        給水管側
２ａ１      下端部
２ｂ        垂下管側
２ｂ１      下端部
３          Ｕ字型二重管
４          キャップ
５          給水管
５ａ        水位調整孔
５ｂ        側端部
５ｃ        底辺部
５ｄ        挿通孔
５ｅ        上端部
６          水位微調整管
７          アダプター
７ａ        上端部
７ｂ        絞部
７ｃ        下端部
７ｄ        貯留部
７ｅ        テーパー部
８          垂下管
８ａ        上端部
８ｂ        下端部
８ｃ        垂下本管
８ｃ１      上端部
８ｃ２      下端部
９          分離通路
１０        細管
１１        水槽
１１ａ      水位
１１ｂ      水
１１ｃ      水泡
１２        大気側
１５        給水本管
１５ａ      連結孔
１５ｂ      連結孔
１６        連結管
１６ａ      連結管
１６ｂ      底辺部
１７        結合孔
１８        コック部
１８ａ      上端部
１８ｃ      コック
Ａ          ライン
Ｂ          ライン
Ｃ          ライン
【図１】
2007236315.tif 000003
【図２】
2007236315.tif 000004
【図３】
2007236315.tif 000005
【図４】
2007236315.tif 000006
【図５−１】
2007236315.tif 000007
【図５−２】
2007236315.tif 000008
【図６】
2007236315.tif 000009
【図７】
2007236315.tif 000010
【図８−１】
2007236315.tif 000011
【図８−２】
2007236315.tif 000012
【図９】
2007236315.tif 000013
【図１０】
2007236315.tif 000014
【図１１】
2007236315.tif 000015
【図１２】
2007236315.tif 000016
【図１３】
2007236315.tif 000017
【図１４】
2007236315.tif 000018